(57)【要約】【課題】  刃部が鋏む機能を有し、刃部を快速に更新でき、更新費用を節約できる刃部交換可能な手工具を提供する。【解決手段】  相互に枢着する二つの柄部１を含み、各柄部１の前端は柄部１を枢着するための一つの枢着部１３をそれぞれ有する。枢着部１３から作動部１１が延在し、各作動部１１の枢着部１３に近接して対向する内側には刃部２を取付けるための一つの収容溝１１１がそれぞれ設けられている。刃部２は、少なくとも一つの鋏み段２１と、少なくとも一つの係止孔２２とを有し、各係止孔２２に応じて刃部２を係止するための係止素子２３が設けられている。刃部２が少なくとも一つの鋏み段２１を有することにより、刃部２の鋏み段２１が磨耗によって鋏み機能がなくなるとき、鋏み段２１を更新すると、刃部２は再び使用できるようになり、手工具の更新費用を低減できる。【選択図】    図１
2006167344.tif 000002
【特許請求の範囲】
【請求項１】
相互に枢着する二つの柄部を含み、各柄部の前端には前記柄部を枢着するための一つの枢着部をそれぞれ有し、枢着部から作動部が延在し、各作動部の枢着部に近接して対向する内側には刃部を取付けるための一つの収容溝がそれぞれ設けてあり、前記刃部には少なくとも一つの鋏み段と、少なくとも一つの係止孔とを有し、各係止孔に応じて刃部を係止するための係止素子が設けてあることを特徴とする刃部交換可能な手工具。
【請求項２】
前記手工具は、ワークを挟むための挟み工具であることを特徴とする請求項１に記載の刃部交換可能な手工具。
【請求項３】
前記手工具は、ワークを鋏むための鋏み工具であることを特徴とする請求項１に記載の刃部交換可能な手工具。
【請求項４】
鋏み作業を実施するために、前記刃部は、三角形を呈することを特徴とする請求項１に記載の刃部交換可能な手工具。
【請求項５】
鋏み作業を実施するために、前記刃部は、菱形を呈することを特徴とする請求項１に記載の刃部交換可能な手工具。
【請求項６】
鋏み作業を実施するために、前記刃部は、四角形を呈することを特徴とする請求項１に記載の刃部交換可能な手工具。
【請求項７】
前記刃部の鋏み段は、直線を呈することを特徴とする請求項１に記載の刃部交換可能な手工具。
【請求項８】
前記刃部の鋏み段は、波状を呈することを特徴とする請求項１に記載の刃部交換可能な手工具。
【請求項９】
前記刃部の表面には、刃部の耐摩耗性を向上するための強化コーティングが実施してあることを特徴とする請求項１に記載の刃部交換可能な手工具。
【請求項１０】
前記強化コーティングは、チタン成分を含むメッキであることを特徴とする請求項９に記載の刃部交換可能な手工具。
【請求項１１】
各作動部には少なくとも一つのねじ穴が開設してあり、各ねじ穴に応じて一つの調整ねじがそれぞれ設けてあり、前記刃部の底面には一つの摺動孔が設けてあり、刃部の全ての鋏み段が磨耗されて鋏む機能がなくなるとき、鋏み段を取り外して研磨して調整ねじによって螺着すると、刃部の鋏み段が再び鋏む機能が回復するために、前記摺動孔の内部には前記調整ねじと対応するナットが設けてあることを特徴とする請求項１に記載の刃部交換可能な手工具。
【請求項１２】
各作動部の収容溝に近接する箇所には、一つの係止溝がそれぞれ設けてあり、各係止溝には一つの鋏み素子がそれぞれ設置してあり、ワークを鋏むために前記鋏み素子は若干の鋏み段を有することを特徴とする請求項１に記載の刃部交換可能な手工具。
【請求項１３】
ワークを鋏むために、各鋏み段は、ダイヤモンドで作製されたものであることを特徴とする請求項１２に記載の刃部交換可能な手工具。
【請求項１４】
刃部を収容するために、前記収容溝は、底部の断面積が頂部よりもやや小さくなるテーパ状態であることを特徴とする請求項１に記載の刃部交換可能な手工具。
【発明の詳細な説明】
【技術分野】
【０００１】
本発明は、刃部交換可能な手工具に係り、特に、刃部が少なくとも一つの鋏み段を有し、且つ前記刃部が作動部に脱着可能である手工具に関するものである。
【背景技術】
【０００２】
図１６に示すのは、従来の手工具であり、それは、ペンチ６であり、前記ペンチ６は二つの柄部６１が枢着されて構成されたものであり、前記柄部６１の前端には前記柄部６１を枢着するための一つの枢着部６２をそれぞれ有し、且つ枢着部６２から挟み部６３が延在し、各挟み部６３の枢着部６２に近接して対向する内側には刃部６４が設けてあり、対向する前記刃部６４によりワークを鋏むことができる。
【０００３】
前記刃部６４と挟み部６３とは高周波で一体成形されて、且つ前記刃部６４はもう一回の高周波熱処理を局所に実施されるので、前記刃部６４は強度および硬さがより高いが、長時間使用されると、前記刃部６４の靭性および延性が良くないので、破裂や割れがよくある。
【０００４】
高周波熱処理の重複の実施によって発生する刃部６４の破裂や割れを回避するために、もう一種類のペンチ７が開発されている。図１７に示すように、前記ペンチ７は、刃部７２を取付けるために、各挟み部７１に一つの嵌め溝７１１がそれぞれ設けてあり、且つ前記刃部７２が別に製造され、すなわち、刃部７２を作製した後に高周波熱処理を実施して、溶接により刃部７２を嵌め溝７１１内に固定し、この方式で作製された刃部は破裂や割れを回避できるが、溶接不良または刃部７２が繰り返す応力を受けるため、刃部７２が溶接点７４から破壊されて二つの部分に割れ易く、前記ペンチ７の使用率が高くない。
【０００５】
また、前記刃部を長時間使用すると、刃部７２の鋏み機能が磨耗によってなくなり、このとき、ペンチ７は鋏むことができなくなり、ペンチ７を新品と交換して使用することが止む得ないので、使用コストが高くなる。
【発明の開示】
【発明が解決しようとする課題】
【０００６】
本発明の主な目的は、刃部が鋏む機能を有し、且つ刃部を快速に更新することができる刃部交換可能な手工具を提供する。
本発明の次の目的は、手工具の更新費用を節約できる刃部交換可能な手工具を提供する。
【課題を解決するための手段】
【０００７】
上記目的を達成するためになされた本発明は、相互に枢着する二つの柄部を含み、各柄部の前端には前記柄部を枢着するための一つの枢着部をそれぞれ有し、且つ枢着部から作動部が延在し、各作動部の枢着部に近接して対向する内側には刃部を取付けるための一つの収容溝がそれぞれ設けてあり、前記刃部には少なくとも一つの鋏み段と、少なくとも一つの係止孔とを有し、各係止孔に応じて刃部を係止するための係止素子が設けてあることを特徴とする刃部交換可能な手工具であることを要旨としている。
【０００８】
本発明では、各作動部の収容溝に近接する箇所には一つの係止溝がそれぞれ設けてあり、各係止溝には一つの鋏み素子がそれぞれ設置してあり、ワークを鋏むために、前記鋏み素子は若干の鋏み段を有することを特徴とする請求項１に記載の刃部交換可能な手工具であることを要旨としている。
【０００９】
本発明では、刃部を収容するために、前記収容溝は底部の断面積が頂部よりもやや小さくなるテーパ状態であることを特徴とする請求項１に記載の刃部交換可能な手工具であることを要旨としている。
【００１０】
本発明に係る刃部交換可能な手工具によれば、次のような効果がある。
（イ）刃部を快速に更新することができる。
（ロ）刃部が単独に作製され、且つ強化コーティングが実施されているので、刃部が適正な強度と、硬さと、靭性と、延性とを持つ。
【００１１】
（ハ）刃部は少なくとも一つの鋏み段を有することにより、刃部の鋏み段が磨耗によって鋏み機能がなくなるとき、鋏み段を更新すると、刃部が再び使用できるようになり、手工具の更新費用が低減できる。
【発明を実施するための最良の形態】
【００１２】
以下、添付図面を参照して本発明の好適な実施の形態を詳細に説明する。
まず、図１から図１５を参照する。第一実施例に係る刃部交換可能な手工具は、鋭いペンチを例にして説明する。第一実施例の手工具は、図１に示すように、相互に枢着する二つの柄部１を含み、各柄部１の一端にはワークを挟むための作動部１１が設けてあり、各柄部１の他端には握るための握り部１２が設けてあり、且つ各柄部１の枢着する箇所には一つの枢着部１３がそれぞれ設けてあり、各枢着部１３の中央には軸１４を枢着するための枢着孔１３１がそれぞれ設けてあり、これにより、二つの柄部１が相互に枢着し、二つの柄部１にある握り部１３が作動部１１を開閉し、作動部１１が開閉すると、ワークを挟むことができる。各作動部１１の枢着部１３に近接して対向する内側には刃部２を取付けるための一つの収容溝１１１がそれぞれ設けてあり、前記収容溝１１１は底部の断面積が頂部よりもやや小さくなるテーパ状態であり、前記刃部２は少なくとも一つの鋏み段２１と、少なくとも一つの係止孔２２とを有し、各係止孔２２に応じて刃部２を係止するための係止素子２３が設けてあり、これにより、ペンチによって鋏むことができる。
【００１３】
前記刃部２は単独に作製され、且つ強化コーティングが実施され、本実施例では、前記強化コーティングはチタン成分を含むメッキであり、各鋏み段２１が隣接する形式で前記刃部２の外周に設けられ、刃部２は適正な強度および硬さを持ち、且つ刃部２は適当な高周波熱処理が実施されているので、刃部２と鋏み段２１は全て良好な靭性および延性を有し、且つ本実施例に係る刃部２と鋏み段２１は一体成形されたものであるので、刃部２にある鋏み段２１が割れないと共に、溶接不良による破壊も発生しない。
【００１４】
また、図２に示すように、刃部２が交換可能な方式で作動部にある収容溝１１１内に設置されて、係止素子２３を刃部２にある係止孔２２内に挿入することにより、刃部２が作動部にある収容溝１１１内に係止され、刃部２が使用されているときに脱落しない。刃部２を交換しようとするときには、使用者が前記係止素子２３を緩めると、刃部２を交換することができ、だから、本実施例によれば、刃部２を快速に更新することができる。
【００１５】
また、図３と図４を参照する。使用者は、使用するときに、場合によって異なる形を持つ鋏み段２１を有する刃部２を使用することができ、例えば、刃部２を三角形にしてもいいし、菱形にしてもいいし、四角形にしてもいい。刃部２の鋏み段２１が磨耗によって鋏む機能がなくなるとき、刃部２は少なくとも一つの鋏み段２１を有するので、このとき、刃部２の係止素子２３を緩めてある角度に旋回させて他の鋏み段２１を使用すると、鋏み作業を継続して実施でき、ペンチを更新する必要がないので、手工具の更新費用が低減できる。
【００１６】
次に、図５と図６に示すのは、本発明の第二実施例であって、刃部２Ａは少なくとも一つの鋏み段２１Ａを有し、且つ異なる鋏み方式に合うために、各鋏み段２１Ａは異なる形式にしてもいい。
【００１７】
また、図７から図１１に示すのは、本発明の第三実施例であり、本実施例では、手工具は鋏み工具であって、前記鋏み工具は鉄板や部品などのものを鋏む工具であり、各柄部３の一端にはワークを挟むための作動部３２が設けてあり、各柄部３の他端には握るための握り部３１が設けてあり、且つ各作動部３２の枢着部３３に近接して対向する内側には刃部３５を取付けるための一つの収容溝３４がそれぞれ設けてあり、前記刃部３５は少なくとも一つの鋏み段３５１と、少なくとも一つの係止孔（図示せず）とを有し、係止素子３６によって刃部３５を係止すると、鋏み段３５１によって鋏むことができ、そうすると、上記実施例と同様の機能がある。
【００１８】
また、図１２と図１３に示すのは、本発明の第四実施例であり、各作動部４には少なくとも一つのねじ穴４１が開設してあり、各ねじ穴４１に応じて一つの調整ねじ４２がそれぞれ設けてあり、本実施例では、刃部４３が二つの斜面を有し、且つ前記刃部４３の底面には一つの摺動孔４４が設けてあり、刃部４３の全ての鋏み段４３１が磨耗されて鋏む機能がなくなるとき、鋏み段４３１を取り外して研磨して調整ねじ４２によって螺着すると、刃部４３の鋏み段４３１が再び鋏む機能を回復するために、前記摺動孔４４の内部には前記調整ねじ４２と対応するナット４６が設けてある。
【００１９】
また、図１４に示すのは、本発明の第五実施例であり、各作動部４Ａには少なくとも一つのねじ穴４１Ａが設けてあり、各ねじ穴４１Ａに応じて一つのピン４２Ａが設けてあり、且つ刃部４３Ａの底面には一つの摺動孔が設けてあり、刃部４３Ａの全ての鋏み段４３１Ａが磨耗されて鋏む機能がなくなるとき、鋏み段４３１Ａを取り外して研磨して前記ピン４２Ａによって刃部４３Ａを固定すると、刃部４３Ａの鋏み段４３１Ａが再び鋏む機能を回復するために、前記摺動孔の内部にはナットが設けてある。
【００２０】
また、図１５に示すのは、本発明の第六実施例であり、各作動部５の収容溝５１と反対する側には一つの係止溝５２が設けてあり、各係止溝５２に応じて一つの鋏み素子５３が設けてあり、前記鋏み素子５３は若干の鋏み段５３１を有し、本実施例では、前記鋏み段５３１がダイヤモンドで作製されたものであり、これにより、使用者は前記鋏み素子５３にある鋏み段５３１によってワークを鋏むことができる。
【図面の簡単な説明】
【００２１】
【図１】本発明の第一実施例による刃部交換可能な手工具を示す斜視図である。
【図２】本発明の第一実施例による刃部交換可能な手工具を示す上面図である。
【図３】本発明の第一実施例による刃部交換可能な手工具の刃部の鋏み段が作動部の収容溝に設置されている状態を示す上面図である。
【図４】本発明の第一実施例による刃部交換可能な手工具の刃部の鋏み段が作動部の収容溝に設置されている状態を示す上面図である。
【図５】本発明の第二実施例による刃部交換可能な手工具の刃部の鋏み段の設置状態を示す上面図である。
【図６】本発明の第二実施例による刃部交換可能な手工具の刃部の鋏み段の設置状態を示す上面図である。
【図７】本発明の第三実施例による刃部交換可能な手工具を示す上面図である。
【図８】本発明の第三実施例による刃部交換可能な手工具を示す上面図である。
【図９】本発明の第三実施例による刃部交換可能な手工具を示す上面図である。
【図１０】本発明の第三実施例による刃部交換可能な手工具を示す上面図である。
【図１１】本発明の第三実施例による刃部交換可能な手工具を示す上面図である。
【図１２】本発明の第四実施例による刃部交換可能な手工具を示す上面図である。
【図１３】本発明の第四実施例による刃部交換可能な手工具の刃部を示す断面図である。
【図１４】本発明の第五実施例による刃部交換可能な手工具を示す上面図である。
【図１５】本発明の第六実施例による刃部交換可能な手工具を示す上面図である。
【図１６】従来の手工具の上面図である。
【図１７】従来の手工具の上面図である。
【符号の説明】
【００２２】
１  柄部、２  刃部、２Ａ  刃部、３  柄部、４  作動部、４Ａ  作動部、５  作動部、１１  作動部、１２  握り部、１３  枢着部、１４  軸、２１  鋏み段、２１Ａ  鋏み段、２２  係止孔、２３  係止素子、３１  握り部、３２  作動部、３３  枢着部、３４  収容溝、３５  刃部、３６  係止素子、４１  ねじ穴、４１Ａ  ねじ穴、４２  調整ねじ、４２Ａ  ピン、４３  刃部、４３Ａ  刃部、４４  摺動孔、４５  収容溝、４５Ａ  収容溝、４６  ナット、５１  収容溝、５２  係止溝、５３  鋏み素子、１１１  収容溝、１３１  枢着孔、３５１  鋏み段、４３１  鋏み段、４３１Ａ  鋏み段、５３１  鋏み段
【図１】
2006167344.tif 000003
【図２】
2006167344.tif 000004
【図３】
2006167344.tif 000005
【図４】
2006167344.tif 000006
【図５】
2006167344.tif 000007
【図６】
2006167344.tif 000008
【図７】
2006167344.tif 000009
【図８】
2006167344.tif 000010
【図９】
2006167344.tif 000011
【図１０】
2006167344.tif 000012
【図１１】
2006167344.tif 000013
【図１２】
2006167344.tif 000014
【図１３】
2006167344.tif 000015
【図１４】
2006167344.tif 000016
【図１５】
2006167344.tif 000017
【図１６】
2006167344.tif 000018
【図１７】
2006167344.tif 000019